(57)【要約】      （修正有）【課題】身体障害者や高齢者が簡易に、印鑑、財布等の身の回り品を携帯することができる使い勝手の良いウエストポケットを提供する。【解決手段】矩形の袋状の本体１の上部の両端にネックバンド３が縫合してあり、本体の下部に人体のウエスト長さより長いリング状のウエストベルト２を付けたこと、および、本体とのウエストベルトとの縫合が本体両端部と本体下部で行われており、本体とウエストベルトの間をポケットにしてウエストポケットを形成する。【選択図】図１
0003181760.tif 000002
【実用新案登録請求の範囲】
【請求項１】
矩形の袋状の本体の上部の両端にネックバンドが縫合してあり、本体の下部に人体のウエスト長さより長いリング状のウエストベルトを付けたことを特徴とするウエストポッケ。
【請求項２】
本体とのウエストベルトとの縫合が本体両端部と本体下部で行われており、本体とウエストベルトの間がポケットになっていることを特徴とする請求項1に記載のウエストポッケ。
【考案の詳細な説明】
【技術分野】
【０００１】
本考案は、体の不自由な方、高齢の方が、財布や書類等を携帯する場合に便利なウエストポケットに関する。
【背景技術】
【０００２】
身体障害者（車椅子障害者、半身不随者等を以下、単に障碍者という。）が所要の際、証明書類、健康保険証、印鑑、財布、身の回り品等を身に着け、必要に応じて、それらを取出すことは、必ずしも容易ではない。例えば、松葉杖を使っている人は、健常者に比較して体や運動の自由度が少ない。高齢者においても同様であるが、上記したような、印鑑、財布、身の回り品等を、携帯することができる使い勝手の良いウエストポケットは提供されていない。なお、本発明のウエストポッケトは、僧侶が托鉢の時に携行用に用いた袋である頭陀袋（ずだぶくろ、または、ずたぶくろ）に似た機能と外観を有するものである。
【０００３】
首から下げて保持する機能を持つ袋については、例えば、実用新案登録第３１６２００１号に開示された考案がある。この考案は、傘を収納する防水機能付きの傘袋の上部左右に穴を開け、その傘袋に傘を収納し、ベルトを傘袋の穴と傘の柄に通しこれにより傘と傘袋を吊り下げて、そのベルトを自己の首に回し、傘と傘袋を体前面に密着させて保持する技術が開示されている。この考案の目的として、傘の保持から開放された両手を読書や他の目的に回すことが出来、雨天時でも晴天時と変わりない利便性が享受できるとされているが、ここには、横揺れ防止機能は具備されていない。
【先行技術文献】
【特許文献】
【０００４】
【特許文献１】実用新案登録第３１６２００１号
【考案の概要】
【考案が解決しようとする課題】
【０００５】
障害者や高齢者を対象とした、日用品、介護用品は多くみられる。しかし、それらには、健常者が考えたものも多く、健常者と異なり体や運動の自由度が少ない障碍者や高齢者からの希望、要求に対しては、必ずしも適切でないものもみられることもしばしばである。たとえば、上記の証明書類、健康保険証、印鑑、財布、身の回り品等を、携帯することができる使い勝手の良いウエストポケットは提供されていない。
【課題を解決するための手段】
【０００６】
本考案は、矩形の袋状の本体の上部の両端にネックバンドが縫合してあり、本体の下部に人体のウエスト長さより長いリング状のウエストベルトを付けたことを特徴とするウエストポッケである。また、本考案は、本体とのウエストベルトとの縫合が本体両端部と本体下部で行われており、本体とウエストベルトの間がポケットになっていることを特徴とする請求項1に記載のウエストポッケである。
【考案の効果】
【０００７】
本考案により、障害者が所要の際、証明書類、健康保険証、印鑑、財布、身の回り品等を必要とした時、容易に片手でウエストポッケを着衣に装着することにより、身体の中心部に安全に格納し使用出来るようになる。また、物入れ本体をネックバンドとウエストベルトを縫合連結しているため、障碍者が着衣の上に片手で簡単に着脱可能とすると共にウエストベルトにより保護介護が可能である。
【０００８】
本考案によるウエストポッケは、１．身障者の服装の如何に関わらず、共通して使用可能である。２．着衣の上に簡単に着脱できる。３．身体前面中心部に片手で必要な小物を収容し、取り出すことが可能である。４．身障者が転倒した場合にウエストベルトを利用して起立介護が可能である。５．ウエストベルトを利用して階段や坂道において歩行補助が可能である。等の効果を有する。
【図面の簡単な説明】
【０００９】
【図１】本考案のウエストポッケの装着例の前面図である。
【図２】ウエストポッケの表面図である。
【図３】ウエストポッケの裏面図である。
【考案を実施するための形態】
【００１０】
本考案は、本体の上部の両端にネックバンドが縫合してあり、ウエストポッケ本体の下部にウエストより長いリング状のウエストベルトを付けたウエストポッケである。
【実施例１】
【００１１】
以下に、本考案を実施例にもとづいて説明する。図1は本考案のウエストポッケの装着例の前面図である。１はウエストポッケ本体である。この本体１はＢ５サイズである。３はネックバンドである。ネックバンド３はウエストポッケ本体１の上部両端に結合されている。ネックバンド３は長さ８５〜１００ｃｍ、幅は、1〜２２ｃｍである。ウエストポッケ本体１とネックバンド３の結合部にはＤ字型金具５を付けている。このＤ字型金具５は、鍵などを付けるために使用することができる。２はウエストベルトである。ウエストベルト２は、容易に装着が可能なように、ウエスト周りより長くしてある。装着は通常のベルトと同じように行うこともできるもの、長さを固定して頭よりかぶるもの、ともに使用できる。ウエストベルト２は、長さ８０〜１００cm、幅は３〜６ｃｍである。
このベルトには車のシートベルトのリサイクル品を使用できる。
【００１２】
図２はウエストポッケ１の前面図である。５はネックバンドとウエストポッケ本体１との結合部のＤ字型金具である。４はウエストポッケ本体１の中の内ポケットである。この内ポケット４は、袋状のウエストポッケ１の内側の布につける。内ポケット４の大きさは、財布や、健康保険証等を入れるためのもので、縦7〜１２ｃｍ、横１２〜１８ｃｍである。７は、ウエストポッケ本体１の開口部である。前面側の布の縦長さは、後面側の布の縦長さより1〜３ｃｍ短くしている。
【００１３】
図3は、ウエストポッケ本体１の裏面図である。６はウエストポッケ本体１の裏面部とウエストベルト２との縫合部である。縫合部６はウエストポッケ本体１の横方向の両端部と、ウエストポッケ本体１の下部のみであり、ウエストポッケ本体１とウエストベルト２により、深さの浅い袋状になっており、図４に示すように、ファイル等や書類等の一時的なホルダーになる。
【産業上の利用可能性】
【００１４】
本考案は布製等の物入れ袋（ウエストポッケ本体）にネックバンドと自由度を有する長いウエストベルトにより上下を連結した物を装着するもので、従来品にはない多くの長所を有しており、障碍者、高齢者等を対象に大きな需要が期待できるため、製造、流通、販売等の産業を盛んにする効果が期待できる。
【符号の説明】
【００１５】
１  ウエストポッケ本体（Ｂ５サイズ）
２  ウエストベルト
３  ネックバンド
４  ウエストポッケ本体の内ポケット
５  ネックバンドとウエストポッケ本体との結合部のＤ字型金具
６  ウエストポッケ本体裏面部とウエストベルトとの縫合部（書類の一時的なホルダー）
７  ウエストポッケ本体の開口部
８  ウエストポッケに差し入れたファイル
【図１】
0003181760.tif 000003
【図２】
0003181760.tif 000004
【図３】
0003181760.tif 000005